(57)【特許請求の範囲】
【請求項１】
固定部材と、少なくとも１枚の記録ディスクが載置され前記固定部材に対し相対的に回転自在なロータハブと、前記固定部材に立設固定され一対の軸受を介して前記ロータハブを回転自在に支持するシャフトと、前記ロータハブの内周面に固着されたロータマグネットと、前記ロータマグネットとの間に微少間隙を形成して対向するステータとを備えてなる記録ディスク駆動用スピンドルモータにおいて、
前記一対の軸受は前記シャフトに外嵌される内輪と前記ロータハブに内嵌される外輪と前記内外輪間に介在するセラミックによって形成された複数のボールとからなり、該一対の軸受は軸線方向上下に離間して配設され、
前記一対の軸受の内輪の少なくとも一方の軸線方向端面は、前記シャフト及び前記ロータハブよりも熱膨張係数の大きな環状部材の軸線方向端部に当接し、モータの高温時に前記環状部材が熱膨張しこれに当接する前記内輪が軸線方向に押圧されることによって前記一対の軸受の内輪間の軸線方向間隙が調整されることを特徴とする記録ディスク駆動用スピンドルモータ。
【請求項２】
前記環状部材は前記一対の軸受の内輪間に配設されるとともに両端部が前記一対の軸受のそれぞれの内輪の向かい合う端面に当接することを特徴とする請求項１に記載の記録ディスク駆動用スピンドルモータ。
【請求項３】
前記一対の軸受の少なくとも一方の外輪には、軸線方向内方に作用する予圧が付与されることを特徴とする請求項１又は２に記載の記録ディスク駆動用スピンドルモータ。
【請求項４】
前記固定部材には前記シャフトを立設固定するためのボス部が形成されており、前記環状部材は前記一対の軸受のうち軸線方向下方に位置する軸受の内輪の下方と前記ボス部の上端部との間に配設されるとともに上端部が前記軸線方向下方に位置する軸受の内輪の下面に当接し下端部が前記ボス部の上端部に当接することを特徴とする請求項１に記載の記録ディスク駆動用スピンドルモータ。
【請求項５】
固定部材と、少なくとも１枚の記録ディスクが載置され前記固定部材に対し相対的に回転自在なロータハブと、前記固定部材に立設固定され一対の軸受を介して前記ロータハブを回転自在に支持するシャフトと、前記ロータハブの内周面に固着されたロータマグネットと、前記ロータマグネットとの間に微少間隙を形成して対向するステータとを備えてなる記録ディスク駆動用スピンドルモータにおいて、
前記一対の軸受は前記シャフト側に位置する内輪と前記ロータハブ側に位置する外輪と前記内外輪間に介在するセラミックによって形成された複数のボールとからなり、該一対の軸受は軸線方向上下に離間して配設され、
前記一対の軸受の内輪の少なくとも一方の内周面と前記シャフトの外周面との間には、前記シャフト及び前記ロータハブよりも熱膨張係数の大きな環状部材が配設されるとともに、前記一対の軸受の内輪の少なくとも一方の内周面は前記環状部材の外周面に固着され、前記シャフトの前記環状部材の内周面の一部に対向する部分には小径部が形成され、前記小径部の外周面と前記環状部材の内周面との間に微少間隙が形成され、
モータの高温時に前記環状部材が熱膨張しこれに固着される前記内輪が軸線方向に押圧されることによって前記一対の軸受の内輪間の軸線方向間隙が調整されることを特徴とする記録ディスク駆動用スピンドルモータ。
【請求項６】
前記一対の軸受の少なくとも一方の内輪には軸線方向内方に作用する予圧が付与されていることを特徴とする請求項４又は５に記載の記録ディスク駆動用スピンドルモータ。
【請求項７】
前記シャフト及び前記ロータハブは１２．５×１０−６よりも小さい熱膨張係数を有するステンレス鋼によって形成されるとともに前記環状部材はアルミニウム又はアルミ合金あるいは１７．３×１０−６よりも大きな熱膨張係数を有するステンレス鋼によって形成されることを特徴とする請求項１乃至６に記載の記録ディスク駆動用スピンドルモータ。
【発明の詳細な説明】
【０００１】
【発明の属する技術分野】
本発明は、ハードディスク等の記録ディスクを回転駆動するためのスピンドルモータに関する。
【０００２】
【従来の技術】
ハードディスク等の記録ディスクを回転駆動するために使用される従来のスピンドルモータは、記録ディスク駆動装置のベース部材に固着されるブラケットと、記録ディスクを載置するためのロータハブと、ブラケットに立設固定され一対の軸受を介してロータハブを回転自在に支持するシャフトと、ロータハブの内周面に固着されたロータマグネットと、プレート状薄板を積層してなるコアにコイルが所望のとおり巻装されて形成されるとともにロータマグネットと微少間隙をもって対向するステータとを備えている。
【０００３】
このようなスピンドルモータにおいては、一般的に、シャフトはステンレス鋼によって形成されるとともにロータハブはステンレス鋼あるいはアルミニウム又はアルミ合金によって形成される。またこのようなロータハブを回転自在に支持するために使用される軸受は、ベアリング鋼によって形成された内外輪間に複数の鋼球が介在されて構成されている。
【０００４】
近年、記録ディスク駆動装置においては、単位面積あたりの記録容量が大容量化した記録ディスクに記録された情報に迅速にアクセスすることができるよう、記録ディスク駆動用スピンドルモータの高速化が要求されるようになってきている。
【０００５】
上述のような高速化にともない、従来の鋼球を用いた軸受では、鋼球の摩耗によるガタ及び振動の問題や、高速回転によって潤滑剤が蒸発又は飛散することに起因する潤滑剤の枯渇による鋼球と内外輪の焼き付き、あるいは摩耗に起因する発塵及び潤滑剤の蒸発又は飛散による記録ディスク駆動装置内の清浄空間の汚染等新たな問題が生じてきた。
【０００６】
【発明が解決しようとする課題】
上述の問題を解決するために、ロータハブを回転自在に支持するためのボールベアリングにおいて使用される内輪、外輪あるいはボールのうちの少なくとも一つをセラミックによって形成する手段が一般的である。
【０００７】
このように軸受に使用されるボールを、高硬度を有するセラミック製ボールを使用することによって、ボールの摩耗に起因するガタ及び振動の発生、ボールと内外輪の焼き付き並びに発塵の問題も解決することができる。しかしながら、例えば軸受を構成する部材のうちボールをセラミックによって形成し内外輪を従来と同じくベアリング鋼によって形成した場合、記録ディスク駆動装置内の温度が上昇し、シャフト、ロータハブ及び軸受に熱膨張が生じると、セラミックによって形成されたボールと他の部材との間の熱膨張率が著しく異なるため、内外輪とボールとの間に隙間が生じ、軸受に予圧が付与されていない、予圧が抜けた状態となり、ロータハブに回転振れ等が生じ回転特性が悪化するという欠点を有している。
【０００８】
本発明は、上記従来の記録ディスク駆動用スピンドルモータが有していた欠点を解決するもので、セラミックによって形成されたボールを使用するボールベアリングを備えた記録ディスク駆動用スピンドルモータにおいて、モータの高温時にモータを構成する各部材に熱膨張が生じた場合であっても軸受に付与された予圧が抜けることを防止し、ロータハブの回転特性を維持することを目的としている。
【０００９】
【課題を解決するための手段】
本発明の記録ディスク駆動用モータは、固定部材と、少なくとも１枚の記録ディスクが載置され前記固定部材に対し相対的に回転自在なロータハブと、前記固定部材に立設固定され一対の軸受を介して前記ロータハブを回転自在に支持するシャフトと、前記ロータハブの内周面に固着されたロータマグネットと、前記ロータマグネットとの間に微少間隙を形成して対向するステータとを備えてなる記録ディスク駆動用スピンドルモータにおいて、前記一対の軸受は前記シャフトに外嵌される内輪と前記ロータハブに内嵌される外輪と前記内外輪間に介在するセラミックによって形成された複数のボールとからなり、該一対の軸受は軸線方向上下に離間して配設され、前記一対の軸受の内輪の少なくとも一方の軸線方向端面は、前記シャフト及び前記ロータハブよりも熱膨張係数の大きな環状部材の軸線方向端部に当接し、モータの高温時に前記環状部材が熱膨張しこれに当接する前記内輪が軸線方向に押圧されることによって前記一対の軸受の内輪間の軸線方向間隙が調整されることを特徴とするものである。
【００１０】
この構成において、一対の軸受の内輪の少なくとも一方の軸線方向端面は、シャフト及びロータハブよりも熱膨張係数の大きな環状部材の軸線方向端部に当接し、モータの高温時に環状部材が熱膨張しこれに当接する内輪が軸線方向に押圧されることによって一対の軸受の内輪間の軸線方向間隙が調整され、軸受に付与された予圧が抜けることが防止される。
【００１１】
ここでいう一対の軸受の内輪間の軸線方向間隙の調整とは、シャフトの熱膨張によって一対の軸受の内輪間の軸線方向間隙が軸線方向外方に向かって拡大しようとするする作用を、シャフトよりも更に大きな熱膨張率を有する環状部材によって一対の軸受の内輪の少なくとも一方を軸線方向内方、すなわち予圧が作用する方向に押圧し、それぞれの内輪を適切な間隙にて保持することによって軸受に付与された予圧が抜けることを防止するものである。
【００１２】
上記本発明の記録ディスク駆動用モータにおいて、環状部材は一対の軸受の内輪間に配設されるとともに両端部が一対の軸受のそれぞれの内輪の向かい合う端面に当接する。この場合、一対の軸受の外輪の少なくとも一方に軸線方向内方に作用する予圧が付与されており、モータの熱膨張時に環状部材が一対の軸受の各内輪を軸線方向外方に向かって押圧することによって、外輪に作用する予圧が抜けることが防止され、モータの高温時においても良好な回転特性が維持される。
【００１３】
固定部材にはシャフトを立設固定するためのボス部が形成されており、環状部材は一対の軸受のうち軸線方向下方に位置する軸受の内輪の下方とボス部の上端部との間に配設されるとともに上端部が軸線方向下方に位置する軸受の内輪の下面に当接し下端部がボス部の上端部に当接している。
【００１４】
また、固定部材にシャフトを立設固定するためのボス部を設けることによってシャフトと固定部材との間の締結力が強まり、シャフトの倒れ等に起因する回転特性の悪化を防止することができるとともに、環状部材を軸線方向下方に位置する軸受の内輪の下部に配設することで、一対の軸受間の軸線方向間隙を縮小することができ、モータを小型化することができる。
【００１５】
また、本発明の別の構成の記録ディスク駆動用スピンドルモータは、固定部材と、少なくとも１枚の記録ディスクが載置され前記固定部材に対し相対的に回転自在なロータハブと、前記固定部材に立設固定され一対の軸受を介して前記ロータハブを回転自在に支持するシャフトと、前記ロータハブの内周面に固着されたロータマグネットと、前記ロータマグネットとの間に微少間隙を形成して対向するステータとを備えてなる記録ディスク駆動用スピンドルモータにおいて、前記一対の軸受は前記シャフト側に位置する内輪と前記ロータハブ側に位置する外輪と前記内外輪間に介在するセラミックによって形成された複数のボールとからなり、該一対の軸受は軸線方向上下に離間して配設され、前記一対の軸受の内輪の少なくとも一方の内周面と前記シャフトの外周面との間には、前記シャフト及び前記ロータハブよりも熱膨張係数の大きな環状部材が配設されるとともに、前記一対の軸受の内輪の少なくとも一方の内周面は前記環状部材の外周面に固着され、前記シャフトの前記環状部材の内周面の一部に対向する部分には小径部が形成され、前記小径部の外周面と前記環状部材の内周面との間に微少間隙が形成され、モータの高温時に前記環状部材が熱膨張しこれに固着される前記内輪が軸線方向に押圧されることによって前記一対の軸受の内輪間の軸線方向間隙が調整されることを特徴とする。
【００１６】
このように構成することによって、軸受の内輪の内周面を環状部材の外周面に固着することができ、モータの組付強度が向上し高い耐衝撃性を得ることができるとともに、固定部材に取付られた軸受の内輪がロータハブの回転にともなって回転するいわゆる連れ回りの発生を防止することができる。
【００１７】
シャフトの環状部材の内周面の一部に対向する部分には小径部を形成し、環状部材の内周面との間に微少間隙を形成することによって、熱膨張時に環状部材が軸受の内輪を押圧する作用を促進することができるとともに、一対の軸受の少なくとも一方の内輪に付与された軸線方向内方に作用する予圧が抜けることが防止される。
【００１８】
このような記録ディスク駆動用スピンドルモータにおいては、シャフト及びロータハブを１２．５×１０-6よりも小さい熱膨張係数を有するステンレス鋼によって形成するとともに前記環状部材はアルミニウム又はアルミ合金あるいは１７．３×１０-6よりも大きな熱膨張係数を有するステンレス鋼ステンレス鋼から形成することによって、各部材間の熱膨張率を大きく異ならしめ環状部材の軸受の内輪間の軸線方向間隙の調整作用を高めることができる。
【００１９】
【発明の実施の形態】
本発明の実施の形態を、図面を参照しつつ説明する。
【００２０】
図１は、本発明の第１の実施形態の記録ディスク駆動用スピンドルモータの断面図である。
【００２１】
この記録ディスク駆動用スピンドルモータ１は、記録ディスク駆動装置のベース部材（図示せず）に取付けられる円盤状のブラケット２と、ブラケ中央部に設けられたボス部２ａの円形開口２ｂ内に立設固定されたシャフト４と、このシャフト４に軸線方向上下に相互に離間して取付けられた一対のボールベアリング６，８と、一対のボールベアリング６，８を介してシャフト４に回転自在に支持され、少なくとも１枚の記録ディスクＤが載置されるロータハブ１０と、ロータハブ１０の内周面に固着されたロータマグネット１２と、ロータマグネット１２と半径方向に微少間隙を形成して対向するステータ１４とを備えている。このステータ１４は、プレート状薄板を積層して形成されたコア１４ａと、コア１４ａに所望のとおり巻装されたコイル１４ｂとからなり、コイル１４ｂに電流が供給されることによってロータマグネット１２との間に磁気的作用が発生し、ロータハブ１０が回転駆動される。
【００２２】
一対のボールベアリング６，８は、シャフト４に接着剤等の手段によって固着される内輪６ａ、８ａと、ロータハブ１０に接着剤等の手段によって固着される外輪６ｂ、８ｂと、これら内外輪間に介在する複数のボール６ｃ、８ｃとから構成される。この一対のボールベアリング６，８は、内輪６ａ、８ａ及び外輪６ｂ、８ｂがベアリング鋼によって形成され、複数のボール６ｃ、８ｃはセラミックによって形成されている。また、内輪６ａ、８ａが外嵌されるシャフト４は例えば１６．３×１０-6の熱膨張係数を有するＳＵＳ３０４系等比較的熱膨張係数の大きなステンレス鋼によって形成されており、外輪６ｂ、８ｂが内嵌されるロータハブ１０は例えば１０．４×１０-6の熱膨張係数を有するＳＵＳ４３０系等比較的熱膨張係数の小さなステンレス鋼によって形成される。
【００２３】
ボールベアリング６の外輪６ｂの底面は、ロータハブ１０と一体的に形成された内方突起１０ａの軸線方向上端部に支持されており、またボールベアリング６の内輪６ａの上面及びボールベアリング８の内面８ａの底面は、シャフト４に一体的に形成された外方突起４ａに支持されている。ボールベアリング８の外輪８ｂとロータハブ１０の内方突起１０ａの軸線方向下端部との間には空隙が形成されており、軸線方向内方（図１において上方）に作用する予圧が付与されている。
【００２４】
図１に示す記録ディスク駆動用スピンドルモータ１は、上述のとおり構成されることによって、モータの高温時に、各部材に熱膨張が生じた場合であっても、シャフト４がロータハブ１０に較べて熱膨張係数の大きな部材によって形成されていることから、シャフト４の半径方向の膨張をロータハブ１０によって抑制することができるとともに、内方突起４ａが膨張し一対のボールベアリング６，８の内輪６ａ、８ａを軸線方向に押圧することによって、ロータハブ１０に固着されたボールベアリング８の外輪８ｂに軸線方向内方に作用する力が付与されるため、モータの高温時に予圧が抜け、ロータハブ１０に回転振れ等が生じることを効果的に防止することができる。
【００２５】
なお、ロータハブ１０を構成する部材は、シャフト４を構成する部材よりも熱膨張係数の小さな部材で構成すればよく、例えば、チタン合金あるいはセラミック等によって構成することも可能である。
【００２６】
本発明の記録ディスク駆動用スピンドルモータの第２の実施形態を図２を参照しつつ説明する。
【００２７】
図２は本発明の記録ディスク駆動用スピンドルモータの第２の実施形態を示す断面図であり、図１の構成部材と同一の作用効果を奏する部材については同一の符号を付してその説明を省略する。
【００２８】
図２において、記録ディスク駆動用スピンドルモータ２０は上記本発明の第１の実施形態において示す記録ディスク駆動用スピンドルモータ１と略同様の構成を有するが、異なっている部分は、ボールベアリング６の内輪６ａの上面及びボールベアリング８の内輪８ａの下面を支持するために一対のボールベアリング６，８の内輪６ａ、８ａ間の軸線方向間隙に、シャフト２２とは別体に形成されたスペーサ部材２４が配設されるとともに、ボールベアリング８の内輪８ａの内周面とシャフト２２の外周面との間にプラスチック等の樹脂によって形成されたリング状部材２６が狭持されている点である。
【００２９】
この実施形態において、一対のボールベアリング６，８の外輪６ｂ、８ｂ及びボールベアリング６の内輪６ａは接着剤等の手段によってそれぞれロータハブ１０及びシャフト２２に固着されているが、ボールベアリング８の内輪８ａはシャフト２２に対して軸線方向に幾分移動可能となるよう、半径方向への移動を規制するためのリング状部材２６を除いて、両部材の嵌め合い以外に固着手段を有していない。また、スペーサ部材２４はステンレス鋼によって形成されたシャフト２２及びロータハブ１０よりも更に大きな熱膨張係数を有するアルミニウム又はアルミによって形成されている。
【００３０】
図２に示す記録ディスク駆動用スピンドルモータ２０は、上述のとおり構成することによって、リング状部材２４が比較的低温から膨張しはじめ、またステンレス鋼よりも大きく膨張するとともに、プラスチック等の樹脂から形成されたリング状部材２６もステンレス鋼よりも大きな熱膨張係数を有することから、リング状部材２６の熱膨張によってボールベアリング８の内輪８ａが半径方向外方に押圧され、ボールベアリング８に側圧が付与され、ボールベアリング８の外輪８ｂに付与された予圧が抜けることをを更に効果的に防止することができる。
【００３１】
本発明の記録ディスク駆動用スピンドルモータの第３の実施形態を図３を参照しつつ説明する。
【００３２】
図３は本発明の記録ディスク駆動用スピンドルモータの第３の実施形態を示す断面図であり、図１及び図２の構成部材と同一の作用効果を奏する部材については同一の符号を付してその説明を省略する。
【００３３】
図３において、記録ディスク駆動用スピンドルモータ３０は上記本発明の第１の実施形態において示す記録ディスク駆動用スピンドルモータ１及び第２の実施形態において示す記録ディスク駆動用スピンドルモータ２０と略同様の構成を有するが、異なっている部分は、一対のボールベアリング６，８の内輪６ａ、８ａを軸線方向間隙にこれらの内輪６ａ、８ａを軸線方向に支持するための部材を有さず、ボールベアリング８の内輪８ａの下面とボス部２ａの軸線方向上端部との間に両者に当接する環状部材３４を有するとともにボールベアリング８の内輪８ａに軸線方向内方（図３において上方）に作用する予圧が付与されている点である。
【００３４】
環状部材３４は、ボス部２ａの軸線方向上端部に当接するとともにシャフト３２の外周面に嵌合される底部３４ａと、ボールベアリング８の内輪８ａの底面に当接するとともに、底部３４ａよりも肉厚が薄く、シャフト３２の外周面との間に間隙を有する上部３４ｂとから構成され、略Ｌ字状の断面形状を有する。
【００３５】
この環状部材３４もアルミニウム又はアルミ合金あるいは１７．３×１０-6の熱膨張係数を有するＳＵＳ３０３系等比較的熱膨張係数の大きなステンレス鋼によって形成されており、モータの高温時に上部３４ｂが軸線方向に熱膨張することによって、ボールベアリング８の内輪８ａを軸線方向内方、すなわちボールベアリング８の内輪８ａに予圧が作用する方向に押圧することによって、予圧が抜けることが効果的に防止される。
【００３６】
更に、環状部材３４がボールベアリング８の軸線方向下方に配設されることによって、一対のボールベアリング６，８の軸線方向間隙を小さくすることができ、記録ディスク駆動用スピンドルモータ３０の全高を低く抑えることができる。
【００３７】
本発明の記録ディスク駆動用スピンドルモータの第４の実施形態を図３を参照しつつ説明する。
【００３８】
図４は本発明の記録ディスク駆動用スピンドルモータの第４の実施形態を示す断面図であり、図１、図２及び図３の構成部材と同一の作用効果を奏する部材については同一の符号を付してその説明を省略する。
【００３９】
図４において、記録ディスク駆動用スピンドルモータ４０は上記本発明の第１の実施形態において示す記録ディスク駆動用スピンドルモータ１及び第２の実施形態において示す記録ディスク駆動用スピンドルモータ２０並びに第３の実施形態において示す記録ディスク駆動用スピンドルモータ３０と略同様の構成を有するが、異なっている部分は、シャフト４２の軸線方向下端部からボールベアリング８に対応する部分までの間に小径部４２ａが形成されており、シャフト４２は小径部４２ａに嵌め合わされた筒状部材４４を介してボス部２ａの円形開口２ｂ内に立設固定されている点である。
【００４０】
筒状部材４４は、ボス部２ａの円形開口２ｂ内に嵌め合わされる嵌合部４４ａと、この嵌合部４４ａよりも肉厚が薄く、シャフト３２の外周面との間に間隙を有するとともに外周面にボールベアリング８の内輪８ａの内周面が接着剤等の手段によって固着される上部４４ｂとから構成される。
【００４１】
この筒状部材４４もアルミニウム又はアルミ合金あるいは１７．３×１０-6の熱膨張係数を有するＳＵＳ３０３系等比較的熱膨張係数の大きなステンレス鋼によって形成されており、モータの高温時に上部４４ｂが軸線方向に熱膨張することによって、ボールベアリング８の内輪８ａを軸線方向内方、すなわちボールベアリング８の内輪８ａに予圧が作用する方向に押圧することによって、予圧が抜けることが効果的に防止される。
【００４２】
更に、ボールベアリング８の内輪８ａが上部４４ａの外周面に接着剤等の手段によって固着されることから、モータの組付強度が向上し高い耐衝撃性を得ることができる。
【００４３】
以上の本発明の実施の形態の説明において、ブラケットを介して記録ディスク駆動装置のベース部材に取付けられる記録ディスク駆動用スピンドルモータを例に挙げ説明したが、記録ディスク駆動装置のベース部材にシャフトが直接立設固定されるいわゆるベース一体型の記録ディスク駆動用スピンドルモータにおいても本発明を適用できるのはいうまでもない。
【００４４】
また、上記本発明の第２，第３及び第４の実施形態における説明において、シャフト２２、３２及び４２並びにロータハブ１０を構成する部材は、スペーサ部材２４、環状部材３４及び筒状部材４４を構成する部材よりも熱膨張係数の小さな部材で構成すればよく、例えば、チタン又はセラミックから構成することも可能である。また、スペーサ部材２４、環状部材３４及び筒状部材４４は、銅合金又はエンジニアリングプラスチック等の部材を用いて構成することも可能である。
【００４５】
なお、以上の実施の形態についての記述は、特にそれに限定される旨の記載がない限りは、この発明の範囲を限定する主旨のものではなく、単なる説明例に過ぎない。
【００４６】
【発明の効果】
本発明の請求項１の記録ディスク駆動用スピンドルモータによれば、一対の軸受の内輪の少なくとも一方の軸線方向端面は、シャフト及びロータハブよりも熱膨張係数の大きな環状部材の軸線方向端部に当接し、モータの高温時に環状部材が熱膨張しこれに当接する内輪が軸線方向に押圧されることによって一対の軸受の内輪間の軸線方向間隙が調整され、軸受に付与された予圧が抜けることを防止することができる。
【００４７】
本発明の請求項２及び３に記載の記録ディスク駆動用スピンドルモータによれば、環状部材は一対の軸受の内輪間に配設されるとともに両端部が一対の軸受のそれぞれの内輪の向かい合う端面に当接するが、一対の軸受の外輪の少なくとも一方には軸線方向内方に作用する予圧が付与されており、モータの熱膨張時に環状部材が一対の軸受の各内輪を軸線方向外方に向かって押圧することによって、外輪に作用する予圧が抜けることが防止され、モータの高温時においても良好な回転特性が維持することができる。
【００４８】
本発明の請求項４に記載の記録ディスク駆動用スピンドルモータによれば、固定部材にシャフトを立設固定するためのボス部を設けることによってシャフトと固定部材との間の締結力が強まり、シャフトの倒れ等に起因する回転特性の悪化を防止することができるとともに、環状部材を軸線方向下方に位置する軸受の内輪の下部に配設することで、一対の軸受間の軸線方向間隙を縮小することができ、モータを小型化することができる。
【００４９】
本発明の請求項５に記載の記録ディスク駆動用スピンドルモータによれば、軸受の内輪の内周面を環状部材の外周面に固着することができ、モータの組付強度が向上し高い耐衝撃性を得ることができるとともに、固定部材に取付られた軸受の内輪がロータハブの回転にともなって回転するいわゆる連れ回りの発生を防止することができる。また、シャフトの環状部材の内周面の一部に対向する部分には小径部を形成し、環状部材の内周面との間に微少間隙を形成することによって、熱膨張時に環状部材が軸受の内輪を押圧する作用を促進することができる。
【００５０】
本発明の請求項６に記載の記録ディスク駆動用スピンドルモータによれば、一対の軸受の少なくとも一方の内輪に付与された軸線方向内方に作用する予圧が抜けることが防止される。
【００５１】
本発明の請求項７に記載の記録ディスク駆動用スピンドルモータによれば、シャフト及びロータハブを１２．５×１０−６よりも小さい熱膨張係数を有するステンレス鋼によって形成するとともに前記環状部材はアルミニウム又はアルミ合金あるいは１７．３×１０−６よりも大きな熱膨張係数を有するステンレス鋼によって形成することによって、各部材間の熱膨張率を大きく異ならしめ環状部材の軸受の内輪間の軸線方向間隙の調整作用を高めることができる。
【図面の簡単な説明】
【図１】本発明の第１の実施形態の記録ディスク駆動用スピンドルモータを示す断面図である。
【図２】本発明の第２の実施形態の記録ディスク駆動用スピンドルモータを示す断面図である。
【図３】本発明の第３の実施形態の記録ディスク駆動用スピンドルモータを示す断面図である。
【図４】本発明の第４の実施形態の記録ディスク駆動用スピンドルモータを示す断面図である。
【符号の説明】
１，２０，３０，４０  記録ディスク駆動用スピンドルモータ
４，２２，３２，４２  シャフト
４ａ  外方突起
６，８  ボールベアリング
６ａ、８ａ  内輪
６ｂ、８ｂ  外輪
６ｃ、８ｃ  ボール
１０  ロータハブ
１２  ロータマグネット
１４  ステータ
２４  スペーサ部材
３４  環状部材
４４  筒状部材
Ｄ  記録ディスク
【図１】
0003872601.tif 000002
【図２】
0003872601.tif 000003
【図３】
0003872601.tif 000004
【図４】
0003872601.tif 000005